(57)【特許請求の範囲】
【請求項１】
飲料容器用リボン結びラベルであって、
前記飲料容器に少なくとも部分的に取り付けられた第１のシートと、
前記第１のシートに少なくとも部分的に取り付けられた第２のシートと
であって、第１の構成および第２の構成を含む、第１のシートおよび第２のシートと、
前記第１のシートと前記第２のシートとの間に配置され、かつ前記第１のシートと前記第２のシートとに少なくとも部分的に取り付けられた引き紐であって、前記引き紐の動きが、前記第１のシートおよび前記第２のシートを前記第１の構成と前記第２の構成との間で移動させる、引き紐と、を備え、
前記第１のシートおよび前記第２のシートが、前記飲料容器の周囲に前記第１の構成で巻き付けられ、
前記第２の構成がリボン結び形状を含み、
当該飲料容器用リボン結びラベルが、さらに、前記引き紐にアクセスするための、前記第２のシートの周りに配置されたアクセスタブを備え、
前記第１のシートは、前記アクセスタブを露出させるために、前記第２のシートから取り外されるように構成され、
前記アクセスタブは、前記引き紐の少なくとも一部分を露出させるために、前記第２のシートから取り外されるように構成された取り外し可能なフラップを形成する１つ又は複数のミシン目を有する、リボン結びラベル。
【請求項２】
前記第１のシートおよび前記第２のシートの周りに配置された第１のミシン目線を更に含む、請求項１に記載のリボン結びラベル。
【請求項３】
前記第１のシートおよび前記第２のシートの周りに配置された第２のミシン目線を更に含む、請求項１又は２に記載のリボン結びラベル。
【請求項４】
前記リボン結び形状が、ハート、花、手書きメッセージ、曲線の付いたボトルまたは手の形状に構成される、請求項１から３のいずれか一項に記載のリボン結びラベル。
【請求項５】
前記第１のシートが、互いに対して逆向きの角度で配置された１つまたは複数の接着帯により前記第２のシートに少なくとも部分的に取り付けられ、前記第１のシートおよび前記第２のシートが、前記リボン結び形状を形成するために、前記１つまたは複数の接着帯の周りで、ある角度で折り曲がる、請求項１から４のいずれか一項に記載のリボン結びラベル。
【請求項６】
前記１つまたは複数の接着帯が、前記リボン結び形状を前記第２の構成で形成するようなパターンで配設される、請求項５に記載のリボン結びラベル。
【請求項７】
前記第１のシートおよび前記第２のシートが、前記リボン結び形状を前記第２の構成で形成するために、前記１つまたは複数の接着帯の周りで折れ曲がる、請求項５に記載のリボン結びラベル。
【請求項８】
飲料容器用リボン結びラベルであって、
第１の端部と第２の端部とを含む、前記飲料容器に少なくとも部分的に取り付けられた第１のシートと、
第１の端部と第２の端部とを含む、前記第１のシートに少なくとも部分的に取り付けられた第２のシートと
であって、第１の構成および第２の構成を含む、第１のシートおよび第２のシートと、
前記第１のシートの前記第１の端部と前記第２のシートの前記第１の端部との間に配置され、かつ前記第１のシートの前記第１の端部と前記第２のシートの前記第１の端部とに少なくとも部分的に取り付けられた引き紐であって、前記引き紐の動きが、前記第１のシートおよび前記第２のシートを前記第１の構成と前記第２の構成との間で移動させ、前記第２の構成がリボン結び形状を含む、引き紐と、
前記引き紐にアクセスするための、前記第２のシートの前記第２の端部の周りに配置されたアクセスタブであって、前記第１のシートが、前記アクセスタブを露出させるために、前記第２のシートの前記第２の端部から取り外されるように構成され、前記アクセスタブが、前記引き紐の少なくとも一部分を露出させるために、前記第２のシートの前記第２の端部から取り外されるように構成された取り外し可能なフラップを形成する１つ又は複数のミシン目を有する、アクセスタブと、
を含む、リボン結びラベル。
【請求項９】
飲料容器上にリボン結びを形成するための方法であって、
引き紐を露出させるために、前記飲料容器の周りに巻き付けられたラベルの第１の端部を取り外すことと、
前記引き紐にアクセスするためのアクセスタブを取り外すことと、
前記引き紐を引っ張って、前記ラベルをリボン結び形状に変形させることと
を含み、
前記アクセスタブは、前記引き紐の少なくとも一部分を露出させるために、前記ラベルから取り外されるように構成された取り外し可能なフラップを形成する１つ又は複数のミシン目を有する、方法。
【請求項１０】
前記ラベルを前記飲料容器の周囲に巻き付けることを更に含む、請求項９に記載の方法。
【請求項１１】
前記ラベルを前記飲料容器に取り付けることを更に含む、請求項９に記載の方法。
【請求項１２】
前記ラベルの第１の端部を前記ラベルの第２の端部に取り付けることを更に含む、請求項１１に記載の方法。
【請求項１３】
前記ラベルの周りに配置された第１のミシン目線を破断させることを更に含む、請求項９から１２のいずれか一項に記載の方法。
【請求項１４】
前記ラベルの周りに配置された第２のミシン目線を破断させることを更に含む、請求項９から１３のいずれか一項に記載の方法。
【請求項１５】
１つまたは複数の接着帯を用いて前記ラベルを形成することを更に含む、請求項９から１４のいずれか一項に記載の方法。
【請求項１６】
前記リボン結び形状を形成するために、前記１つまたは複数の接着帯の周りで前記ラベルを折り曲げることを更に含む、請求項１５に記載の方法。
【発明の詳細な説明】
【技術分野】
【０００１】
関連出願の相互参照
本開示は、２０１４年５月０８日に出願された、米国仮特許出願第６１／９９０３０４号の優先権および利益を主張するものであり、この特許文献はその全体が参照により本明細書に組み込まれる。
【０００２】
分野
本開示は、概して、ラベルに関し、より詳細には、飲料容器用リボン結びラベルのためのシステムおよび方法に関する。
【背景技術】
【０００３】
背景
飲料容器は、飲料を保存、輸送および／または分配するために使用される場合がある。いくつかの例において、飲料容器は、１つまたは複数のラベルを含み得る。ラベルは、商標、広告などの表示を含み得る。いくつかの例において、ラベルは、飲料容器の周囲に巻き付けられる場合がある。他の例において、ラベルは、飲料容器から取り外される場合がある。典型的なラベルは、情報を伝達し、消費者との限定的な相互作用をもたらす。
【発明の概要】
【課題を解決するための手段】
【０００４】
概要
上記の必要性および／または問題の一部または全ては、本明細書に開示する飲料容器用リボン結びラベルのある実施形態により対処され得る。例示的な実施形態によれば、リボン結びラベルは、飲料容器に少なくとも部分的に取り付けられた第１のシートを含み得る。リボン結びラベルはまた、第１のシートに少なくとも部分的に取り付けられた第２のシートを含み得る。第１のシートおよび第２のシートは、第１の構成および第２の構成を含み得る。加えて、リボン結びラベルは、第１のシートと第２のシートとの間に配置され、かつ第１のシートと第２のシートとに少なくとも部分的に取り付けられた引き紐を含み得る。このように、引き紐の動きは、第１のシートおよび第２のシートを第１の構成と第２の構成との間で移動させ得る。いくつかの例において、第２の構成はリボン結び形状を含み得る。
【０００５】
図面の簡単な説明
詳細な説明は、必ずしも正確な縮尺で描かれていない添付の図面を参照しながら行われる。同じ参照符号の使用は、同様または同一の項目を表し得る。様々な実施形態は、図面に図示したもの以外の要素および／または構成要素を利用してもよく、かついくつかの要素および／または構成要素は、様々な実施形態に存在しなくてもよい。本開示全体を通じて、単数形および複数形の用語を文脈に応じて交換可能に使用してもよい。
【図面の簡単な説明】
【０００６】
【図１】本開示の１つまたは複数の実施形態に係るリボン結びラベル組立体のための例示的な方法を概略的に示す。
【図２】本開示の１つまたは複数の実施形態に係るリボン結びラベル組立体の一部分を概略的に示す。
【図３】本開示の１つまたは複数の実施形態に係るリボン結びラベル組立体の一部分を概略的に示す。
【図４】本開示の１つまたは複数の実施形態に係るリボン結びラベル組立体の一部分を概略的に示す。
【図５】本開示の１つまたは複数の実施形態に係るリボン結びラベル組立体の一部分を概略的に示す。
【図６】本開示の１つまたは複数の実施形態に係るリボン結びラベル組立体の一部分を概略的に示す。
【図７】本開示の１つまたは複数の実施形態に係るリボン結びラベル組立体のための例示的な方法を概略的に示す。
【図８】本開示の１つまたは複数の実施形態に係るリボン結びラベル組立体のための例示的な方法を概略的に示す。
【発明を実施するための形態】
【０００７】
詳細な説明
飲料容器用リボン結びラベルが本明細書に開示される。飲料容器は、ボトル、缶、ジョッキなどを含み得る。本明細書では、飲料を保存、輸送、および／または分配することが可能な任意の容器を使用してもよい。飲料容器は、ユーザが飲料容器から飲料を消費することを可能にするような大きさおよび形状であり得、または飲料容器は、飲料を輸送して他の容器に分配するように構成され得る。本明細書では、任意の飲料容器を使用してもよい。
【０００８】
いくつかの例において、リボン結びラベルは、飲料容器の周りにラベルを形成してもよい。ラベルは、商標、広告などの表示を含み得る。ラベルは、ラベル上に任意のマークを含み得る。他の例において、リボン結びラベルは、飲料容器の周りにリボン結びを形成してもよい。例えば、リボン結びラベルは最初に、飲料容器の周囲に巻き付けられる典型的なラベルの形態をとってもよい。しかしながら、リボン結びラベルは、ユーザにより操作されて、飲料容器の周りにリボン結びを形成してもよい。例えば、ユーザは、引き紐を露出させるために、飲料容器からリボン結びラベルの一部分を解いてもよい。次いで、ユーザは、引き紐を引いて、リボン結びラベルをリボン結びに変形させてもよい。リボン結びとして説明されているが、引き紐を引っ張って、リボン結びラベルを任意の形状に変形させてもよい。例えば、リボン結び形状は、ハート形状、花の形状、手、または曲線を有するボトル形状を含み得る。加えて、リボン結び形状は、ラベル上の断片的な画像またはマークを、形成された形状、画像または文字メッセージに変形させてもよい。
【０００９】
例示的な実施形態によれば、リボン結びラベルは、第１の端部と第２の端部とを有する第１のシートを含み得る。第１のシートを飲料容器に少なくとも部分的に取り付けてもよい。リボン結びラベルはまた、第１の端部と第２の端部とを有する第２のシートを含み得る。第２のシートを第１のシートに少なくとも部分的に取り付けてもよい。第１のシートおよび第２のシートは、第１の構成および第２の構成を含み得る。加えて、リボン結びラベルは、第１のシートの第１の端部と第２のシートの第１の端部との間に配置され、かつ第１のシートの第１の端部と第２のシートの第１の端部とに少なくとも部分的に取り付けられた引き紐を含み得る。このように、引き紐の動きは、第１のシートおよび第２のシートを第１の構成と第２の構成との間で移動させ得る。いくつかの例において、第２の構成はリボン結び形状を含み得る。
【００１０】
第１のシートを、１つまたは複数の接着帯により第２のシートに少なくとも部分的に取り付けてもよい。１つまたは複数の接着帯を、リボン結び形状を第２の構成で形成するようなパターンで配設してもよい。すなわち、引き紐が引っ張られたときにリボン結び形状を第２の構成で形成するために、第１のシートおよび第２のシートを１つまたは複数の接着帯により互いに接着して１つまたは複数の接着帯の周りで折り曲げてもよい。
【００１１】
ある実施形態において、リボン結びラベルは、第２のシートの第２の端部の周りに配置されたアクセスタブを含み得る。アクセスタブは、引き紐へのアクセスを提供してもよい。いくつかの例において、アクセスタブは、取り外し可能なフラップなどを含み得る。例えば、第２のシートの第２の端部は、引き紐の少なくとも一部分を露出させるためにフラップが第２のシートから取り外される（または邪魔にならないように折り曲げられる）ことを可能にし得る１つまたは複数のミシン目を含み得る。
【００１２】
いくつかの例では、第１のシートおよび第２のシートを飲料容器の周囲に第１の構成で巻き付けてもよい。例えば、第１のシートの第２の端部を、接着剤などを用いて飲料容器に少なくとも部分的に取り付けてもよい。加えて、第１のシートの第１の端部を、飲料容器の周囲に巻き付けて、接着剤などにより第２のシートの第２の端部に少なくとも部分的に取り付けてもよい。このように、リボン結びラベルを飲料容器の周囲に第１の構成で巻き付けてもよい。第１の構成は、引き紐が引っ張られてリボン結びが形成される前の任意の配置を含み得る。すなわち、第１の構成は、部分的に解かれた配置を含み得る。
【００１３】
ある実施形態では、第１のミシン目線を第１のシートおよび第２のシートの周りに配置してもよい。第１のミシン目線は、飲料容器に少なくとも部分的に取り付けられる第１のシートの第１の部分を画定してもよい。同様に、第２のミシン目線を第１のシートおよび第２のシートの周りに配置してもよい。第２のミシン目線は、飲料容器に少なくとも部分的に取り付けられる第１のシートの第２の部分を画定してもよい。リボン結びを形成するために、第１のシートおよび第２のシートを第１のミシン目線および／または第２のミシン目線の周りで破断させてもよい。他の例では、第１のミシン目線および／または第２のミシン目線を省略してもよい。
【００１４】
使用時に、ユーザは、飲料容器の周囲からリボン結びラベルを解くために、第２のシートの第２の端部から第１のシートの第１の端部を取り外してもよい。いくつかの例では、リボン結びラベルの中央部分を形成するために、存在する場合には、第１のミシン目線および／または第２のミシン目線を破断させてもよい。リボン結びラベルを解く際に、アクセスタブを開封して、引き紐の一部分を露出させてもよい。次いで、ユーザは、リボン結び形状を形成するために、引き紐を引いて、１つまたは複数の接着帯の周りで第１のシートおよび第２のシート（または第１のシートおよび第２のシートの中央部分）を折り曲げてもよい。リボン結び形状は、任意の装飾形状などであってもよい。
【００１５】
本開示のこれらおよび他の実施形態を、後に続く詳細な説明において添付の図面を参照することでより詳細に説明する。セクションの見出しおよび対応する概要を含む、この簡潔な導入部は、読み手の便宜のために提供されるものであり、特許請求の範囲も先行するセクションも限定するようには意図されていない。更に、上で説明しかつ以下に説明する技術は、数多くの方法で、かつ数多くの状況で実現し得る。以下により詳細に説明するように、いくつかの例示的な実装形態および状況が以下の図面を参照して提供される。しかしながら、以下の実装形態および状況は、多くのうちの一部に過ぎない。
【００１６】
図１〜図８は、飲料容器１０２用リボン結びラベル１００のための１つまたは複数の例示的なシステムおよび方法を概略的に示す。飲料容器１０２は、ボトル、缶、ジョッキなどを含み得る。本明細書では、飲料を保存、輸送、および／または分配することが可能な任意の容器を使用してもよい。飲料容器１０２は、ユーザが飲料容器１０２から飲料を消費する（例えば、即座に消費する）ことを可能にするような大きさおよび形状であり得、および／または飲料容器１０２は、飲料を輸送して他の容器に分配する（例えば、将来消費する）ように構成され得る。本明細書では任意の飲料容器が使用され得るが、飲料容器１０２はボトルとして説明されている。いくつかの例において、飲料容器１０２は、炭酸飲料、非炭酸飲料、水、ジュース、牛乳などを収容してもよい。本明細書では、任意の飲料または飲料の組み合わせを使用してもよい。
【００１７】
いくつかの例において、リボン結びラベル１００は、飲料容器１０２の周囲にラベル１０６を形成してもよい。すなわち、いくつかの構成において、リボン結びラベル１００は、飲料容器１０２の周囲に巻き付けてもよく、かつ消費者が視認できる１つもしくは複数の配色またはマークを含み得る。リボン結びラベル１００は、商標、広告などの１つまたは複数の表示を含み得る。リボン結びラベル１００の外面および／または内面を含む、リボン結びラベル１００の周りに任意のマークを配置してもよい。
【００１８】
ある例において、リボン結びラベル１００はまた、飲料容器１０２の周りにリボン結び形状１０４を形成してもよい。例えば、上で説明したように、リボン結びラベル１００は最初に、飲料容器１０２の周囲に巻き付けられる典型的なラベル１０６の形態をとってもよい。しかしながら、リボン結びラベル１００は、ユーザ１０８により操作されて、飲料容器１０２の周りにリボン結び形状１０４を形成してもよい。リボン結び形状１０４を飲料容器１０２の表面に取り付けてもよい。例えば、ユーザ１０８は、引き紐１１０を露出させるために、飲料容器１０２からリボン結びラベル１００の一部分を部分的に解いてもよい。リボン結びラベル１００の一部分は、リボン結びラベル１００が飲料容器１０２から部分的に解かれたときに飲料容器１０２に依然として取り付けられていてもよい。次いで、ユーザ１０８は、紐１１０を引いて、リボン結びラベル１００をリボン結び形状１０４に変形させてもよい。リボン結びとして説明されているが、引き紐１１０を引っ張って、リボン結びラベル１００を任意の装飾形状、文字メッセージ、画像などに変形させてもよい。
【００１９】
例示的な実施形態によれば、リボン結びラベル１００は、第１の端部１１４と第２の端部１１６とを有する第１のシート１１２（すなわち、内側シート）を含み得る。第１のシート１１２は、第１の端部１１４と第２の端部１１６との間に細長い本体を含み得る。いくつかの例では、第１のシート１１２は、略矩形であってもよい。第１のシート１１２を飲料容器１０２に少なくとも部分的に取り付けてもよい。例えば、第１のシート１１２の少なくとも一方の端部（例えば、第２の端部１１６）を飲料容器１０２に取り付けてもよい。他の例では、第１のシート１１２の両端部を、一方の端部（例えば、第１の端部１１４）が取り外し可能である状態で飲料容器１０２に取り付けてもよい。リボン結びラベル１００はまた、第１の端部１２０と第２の端部１２２とを有する第２のシート１１８（すなわち、外側シート）を含み得る。第２のシート１１８は、第１の端部１２０と第２の端部１２２との間に細長い本体を含み得る。いくつかの例では、第２のシート１１８は、略矩形であってもよい。第１のシート１１２および第２のシート１１８は、任意のサイズまたは形状であってもよい。
【００２０】
第２のシート１１８を第１のシート１１２に少なくとも部分的に取り付けてもよい。第１のシート１１２および第２のシート１１８は、第１の構成および第２の構成を含み得る。加えて、リボン結びラベル１００は、第１のシート１１２の第１の端部１１４と第２のシート１１８の第１の端部１２０との間に配置され、かつ第１のシート１１２の第１の端部１１４と第２のシート１１８の第１の端部１２０とに少なくとも部分的に取り付けられた引き紐１１０を含み得る。このように、引き紐１１０の動きは、第１のシート１１２および第２のシート１１８を第１の構成と第２の構成との間で移動させ得る。すなわち、引き紐１１０の動きは、（飲料容器１０２から部分的に解かれ得る）第１のシート１１２の第１の端部１１４および第２のシート１１８の第１の端部１２０を（飲料容器１０２に取り付けられ得る）第１のシート１１２の第２の端部１１６および第２のシート１１８の第２の端部１２２の側に引き寄せてもよい。
【００２１】
いくつかの例において、第２の構成はリボン結び形状１０４を含み得る。例えば、第１のシート１１２の第１の端部１１４および第２のシート１１８の第１の端部１２０が第１のシート１１２の第２の端部１１６および第２のシート１１８の第２の端部１２２の側に引き寄せられたときに、第１のシート１１２および第２のシート１１８は、リボン結び形状１０４を形成するために互いに折り曲がってもよい。第２の構成は、リボン結び形状１０４を形成するための数多くの折り目を含み得る。ある実施形態は、リボン結びにおける形状、メッセージまたは画像を変えるために異なる数の折り目および／または折りパターンを含み得る。
【００２２】
第１のシート１１２を、１つまたは複数の接着帯１２４により第２のシート１１８に少なくとも部分的に取り付けてもよい。１つまたは複数の接着帯１２４が、リボン結び形状１０４を第２の構成で形成するようなパターンで配設されてもよい。例えば、引き紐１１０が引っ張られたときにリボン結び形状１０４を第２の構成で形成するために、第１のシート１１２および第２のシート１１８を１つまたは複数の接着帯１２４により互いに接着して１つまたは複数の接着帯１２４の周りで折り曲げてもよい。すなわち、１つまたは複数の接着帯１２４は、第１のシート１１２の第１の端部１１４および第２のシート１１８の第１の端部１２０が第１のシート１１２の第２の端部１１６および第２のシート１１８の第２の端部１２２の側に引き寄せられるときの折り目の数および／または折りパターンを規定してもよい。
【００２３】
例示的な一実施形態では、１つまたは複数の接着帯１２４を互いに対して逆向きの角度で配設してもよい。このように、第１のシート１１２の第１の端部１１４および第２のシート１１８の第１の端部１２０が第１のシート１１２の第２の端部１１６および第２のシート１１８の第２の端部１２２の側に引き寄せられたときに、第１のシート１１２および第２のシート１１８は、リボン結び形状１０４を形成するために１つまたは複数の接着帯１２４の周りである角度で折り曲がってもよい。１つまたは複数の接着帯１２４の角度は、リボン結び形状１０４を形成するために、互い違いになっていてもよい。引き紐１１０が引っ張られることを可能にするために、１つまたは複数の接着帯１２４は、引き紐１１０が通過するための通路１２６を含み得る。
【００２４】
いくつかの例では、接着帯１２４の代わりにまたはそれに加えて、第１のシート１１２を、熱シール材または他の取付手段により第２のシート１１８に少なくとも部分的に取り付けてもよい。任意の糊、接着剤、ヒートシールなどを使用してもよい。例えば、あるパターンで第１のシート１１２を第２のシート１１８に対して熱シールしてもよい。いくつかの例では、第１のシート１１２を、第１のシート１１２および第２のシート１１８の長さに沿った様々な箇所１３１において第２のシート１１８に取り付けてもよい。シール箇所１３１の配置は、第１のシート１１２の第１の端部１１４および第２のシート１１８の第１の端部１２０が第１のシート１１２の第２の端部１１６および第２のシート１１８の第２の端部１２２の側に引き寄せられるときのリボン結びラベル１００の角度の付いた折り曲げを容易にする。リボン結び形状１０４の構成を変更するために、シール箇所１３１の位置およびシール箇所１３１間の距離を変えてもよい。引き紐１１０の通過を可能にするように、シール箇所１３１を離間配置してもよい。いくつかの例では、リボン結びラベル１００の折り曲げを更に容易にするために、シール箇所１３１を斜めに配置してもよい。
【００２５】
リボン結び形状１０４の構成を変更するために、接着剤パターン、熱シールパターン、またはこれらの組み合わせを変えてもよい。例えば、第１のシート１１２を第２のシート１１８に接着するために、１つまたは複数の接着帯を１つまたは複数の熱シール部分と組み合わせてもよい。いくつかの例では、引き紐１１０を第１のシート１１２および第２のシート１１８に取り付けるために、（両面式であり得る）接着帯を使用してもよい。第１のシート１１２および第２のシート１１８の長さに沿った様々な箇所において第１のシート１１２を第２のシート１１８に取り付けるために、１つまたは複数のシール箇所１３１を使用してもよい。本明細書では、任意の数の取付配置を使用してもよい。すなわち、第１のシート１１２と第２のシート１１８との取付の手段（例えば、糊など）および取付のパターンを変えてもよい。
【００２６】
ある実施形態において、リボン結びラベル１００は、第２のシート１１８の第２の端部１２２の周りに配置されたアクセスタブ１２８を含み得る。アクセスタブ１２８は、引き紐１１０へのアクセスを提供してもよい。すなわち、アクセスタブ１２８は、引き紐１１０の少なくとも一方の端部へのアクセスを提供してもよい。いくつかの例において、アクセスタブ１２８は、取り外し可能なフラップ１３０などを含み得る。例えば、第２のシート１１８の第２の端部１２２は、引き紐１１０の少なくとも一部分を露出させるための取り外し可能なフラップ１３０が第２のシート１１８から取り外される（または邪魔にならないように折り曲げられる）ことを可能にし得る１つまたは複数のミシン目１３２を含み得る。
【００２７】
引き紐１１０は、第１の端部１３４と第２の端部１３６とを含み得る。引き紐１１０の第１の端部１３４を、接着帯１３８などにより第１のシート１１２の第１の端部１１４および第２のシート１１８の第１の端部１２０に取り付けてもよい。引き紐１１０は、１つまたは複数の接着帯１２４における通路１２６を通過してもよい。引き紐１０の第２の端部１３６は、アクセスタブ１２８からアクセス可能であってもよい。引き紐１１０の第２の端部１３６を第１のシート１１２または第２のシート１１８に取り付けなくてもよい。このように、引き紐１１０の第２の端部１３６を、第１のシート１１２の第１の端部１１４および第２のシート１１８の第１の端部１２０を第１のシート１１２の第２の端部１１６および第２のシート１１８の第２の端部１２２の側に引き寄せるために引っ張ってもよい。引き紐１１０の引っ張りは、第１のシート１１２および第２のシート１１８を第１の構成から第２の構成（例えば、リボン結び形状１０４）に移動させ得る。
【００２８】
いくつかの例では、第１のシート１１２および第２のシート１１８を飲料容器１０２の周囲に第１の構成で巻き付けてもよい。例えば、第１のシート１１２の第２の端部１１６を、接着剤１４０などを用いて飲料容器１０２に少なくとも部分的に取り付けてもよい。加えて、第１のシート１１２の第１の端部１１４を、飲料容器１０２の周囲に巻き付けて、接着剤１４２などにより第２のシート１１８の第２の端部１２２に少なくとも部分的に取り付けてもよい。このように、リボン結びラベル１００を飲料容器１０２の周囲に第１の構成で巻き付けてもよい。いくつかの例では、アクセスタブ１２８および引き紐１１０の第２の端部１３６を露出させるために、第１のシート１１２の第１の端部１１４を第２のシート１１８の第２の端部１２２から分離してもよい。第１の構成は、引き紐１１０が引っ張られてリボン結び形状１０４が形成される前の任意の配置を含み得る。すなわち、第１の構成は、第１のシート１１２の第１の端部１１４が第２のシート１１８の第２の端部１２２から分離される部分的に解かれた配置を含み得る。
【００２９】
ある実施形態では、第１のミシン目線１４４を第１のシート１１２および第２のシート１１８の周りに配置してもよい。第１のミシン目線１４４は、飲料容器１０２に少なくとも部分的に取り付けられる第１のシート１１２の第１の部分１４６を画定してもよい。同様に、第２のミシン目線１４８を第１のシート１１２および第２のシート１１８の周りに配置してもよい。第２のミシン目線１４８は、飲料容器１０２に少なくとも部分的に取り付けられる第１のシート１１２の第２の部分１５０を画定してもよい。リボン結び形状１０４に折り曲げられ得る中央部分１５２を形成するために、第１のシート１１２および第２のシート１１８を第１のミシン目線１４４および／または第２のミシン目線１４８の周りで破断させてもよい。すなわち、第１の部分１４６および第２の部分１５０を飲料容器１０２に取り付けてもよく、その一方で、中央部分１５２をその端部１１６においてのみ飲料容器１０２に取り付けてもよい。いくつかの例では、第１のミシン目線１４４および／または第２のミシン目線１４８を省略してもよい。例えば、リボン結びラベル１００は、ミシン目線を含まなくてもよく、第１のミシン目線１４４と第２のミシン目線１４８との両方を含み得、第１のミシン目線１４４のみを含み得、または第２のミシン目線１４８のみを含み得る。
【００３０】
使用時に、ユーザ１０８は、飲料容器１０２の周囲からリボン結びラベル１００を解くために、第２のシート１１８の第２の端部１２２から第１のシート１１２の第１の端部１１４を取り外してもよい。いくつかの例では、リボン結びラベル１００の中央部分１５２を形成するために、存在する場合には、第１のミシン目線１４４および／または第２のミシン目線１４８を破断させてもよい。リボン結びラベル１００を解く際に、アクセスタブ１２８を開封して、引き紐１１０の一部分を露出させてもよい。次いで、ユーザ１０８は、引き紐１１０の第２の端部１３６を引っ張って、第１のシート１１２の第１の端部１１４および第２のシート１１８の第１の端部１２０を第１のシート１１２の第２の端部１１６および第２のシート１１８の第２の端部１２２の側に引き寄せてもよく、これにより、リボン結び形状１０４を形成するために１つまたは複数の接着帯１２４の周りで第１のシート１１２および第２のシート１１８（または第１のシート１１２および第２のシート１１８の中央部分１５２）を折り曲げてもよい。
【００３１】
本開示の具体的な実施形態を説明してきたが、多数の他の修正形態および代替実施形態が本開示の範囲内にある。例えば、特定の装置または構成要素に関して説明した機能のいずれかを、別の装置または構成要素により実行してもよい。更に、具体的な装置特性を説明してきたが、本開示の実施形態は、多数の他の装置特性に関係し得る。更に、実施形態を構造的特徴および／または方法論的行為に特有の言語で説明してきたが、説明した具体的な特徴または行為に本開示が必ずしも限定されないことを理解されたい。
【００３２】
例えば、本開示の別の実施形態において、本明細書で開示する印刷されたアートワーク要素はまた、ハート、手書きメッセージまたは文字メッセージ、曲線の付いたボトル、手、花、または他の任意の同様の形状またはメッセージの形態であってもよい。ハート、曲線の付いたボトル、手、もしくは花の形状または手書きメッセージでは、例えば、ラベルが引っ張られてある形状（例えば、ハート、曲線の付いたボトル、手、または（リボン結びのような）花の形状）になるときに、印刷されたデザイン要素が一体となって、ハート、曲線の付いたボトル、花、手、もしくは手書きメッセージなど、形状、メッセージ、または形状を表すまたは作り出すようにラベルを配置してもよい。
【００３３】
むしろ、具体的な特徴および行為は、実施形態を実現する例示的な形態として開示されている。特に、「できる（can）」、「できた（could）」、「し得た（might）」、または「し得る（may）」などの条件付き言語は概して、特段の指定がない限り、または使用される文脈内で別様に理解されない限り、他の実施形態は含まないが、ある実施形態が、ある特徴、要素、および／またはステップを含み得ることを伝えるように意図されている。したがって、このような条件付き言語は概して、特徴、要素、および／またはステップが何らかの方法で１つまたは複数の実施形態に必要とされることを含意するように意図されたものではない。
【図１（ａ）】
0006567554.tif 000002
【図１（ｂ）】
0006567554.tif 000003
【図１（ｃ）】
0006567554.tif 000004
【図１（ｄ）】
0006567554.tif 000005
【図１（ｅ）】
0006567554.tif 000006
【図１（ｆ）】
0006567554.tif 000007
【図２（ａ）】
0006567554.tif 000008
【図２（ｂ）】
0006567554.tif 000009
【図３（ａ）】
0006567554.tif 000010
【図３（ｂ）】
0006567554.tif 000011
【図４Ａ】
0006567554.tif 000012
【図４Ｂ】
0006567554.tif 000013
【図４Ｃ】
0006567554.tif 000014
【図４Ｄ】
0006567554.tif 000015
【図５（ａ）】
0006567554.tif 000016
【図５（ｂ）】
0006567554.tif 000017
【図６（ａ）】
0006567554.tif 000018
【図６（ｂ）】
0006567554.tif 000019
【図７（ａ）】
0006567554.tif 000020
【図７（ｂ）】
0006567554.tif 000021
【図８（ａ）】
0006567554.tif 000022
【図８（ｂ）】
0006567554.tif 000023
【図８（ｃ）】
0006567554.tif 000024
【図８（ｄ）】
0006567554.tif 000025
【図８（ｅ）】
0006567554.tif 000026